(57)【要約】【課題】この発明は、組立作業及び多数の安定杭施工等の作業性が良く、且つ、コスト低減が可能な格子枠マットの製造方法と斜面等の保護及び緑化工法を開発・提供する事にある。【解決手段】製造過程において格子枠とシートを一体化し、且つ、該格子枠とシートを同時にクレーン等で吊り上げ地表勾配と製品勾配をほぼ同一対面に敷設する。又、法面の斜面肩部と水平部とを一体化したマットにより、連結した状態で敷設でき、且つ、斜面肩水平部に杭等を使用して安定した施工方法を可能にした。【選択図】  図１
2004346593.tif 000002
【特許請求の範囲】
【請求項１】
樹脂材及び金属等の材料で形成した多数の格子枠（１）を繊維シート（２）上に組み合わせ配置し、各格子枠（１）の底面と繊維シート（２）を金具及び接着剤又は熱溶着等の係着手段（Ｇ）で係着し、且つ、各格子枠（１）の接合部に可動及び固定が可能な係止部（１ａ）を設け、可動時は地表面の変形に対応でき、且つ、固定時は格子枠（１）を骨組み材として強度を持たせ繊維シート（２）と一面化させて板状のシートを形成し、該板状のシートを斜面又は急傾斜地（Ｓ）で利用することを特徴とする格子枠マットの製造方法。
【請求項２】
各格子枠（１）係止部（１ａ）の係着手段（Ｇ）を固定状態にしたとき格子枠（１）の骨組み力により板状の剛性シートとなることにより、マットによる保護工事を行う斜面（Ｓ）とマット底面を同一対面勾配として骨組み材を治具または作業者で保持した状態で敷設斜面に繰り返し正確に敷設できることを特徴とする格子枠マットの斜面等の保護及び緑化工法。
【請求項３】
各格子枠（１）係止部（１ａ）の係着手段（Ｇ）を可動状態にしたとき地表面の変化に対応できることにより曲面及び折部等の地表にも敷設でき、又敷設後係止部（１ａ）を固定にして、敷設後の格子枠（１）がマットと同時に地表面に敷設できることを特徴とする請求項２記載の格子枠マットの斜面等の保護及び緑化工法。
【請求項４】
格子枠マットの繊維シート（２）により地表面を被覆し、降雨等による直接的な地表面の浸食、崩壊防止し、シート上に係着し一体化した各格子枠（１）内に客土された植生用の土砂又は培養土によりマットに適当な荷重を与えることにより間接的に地表面の浸食、崩壊防止を行い、且つ、格子枠（１）によって客土をブロック化して客土流出を防止するとともに各格子枠（１）に沿って降雨排水機能を持たせる事で斜面（Ｓ）等の一貫安定を図る事を特徴とする請求項２又は３記載の格子枠マットの斜面等の保護及び緑化工法。
【発明の詳細な説明】
【０００１】
【発明の属する技術分野】
この発明は、既製部材及び植生を利用して斜面を被覆し、地表面の侵食、崩壊を防止するために使用する格子枠マット（斜面保護マット）の製造方法と斜面等の保護及び緑化工法に関するものである。
【０００２】
【従来の技術】
従来、護岸・河川堤防・道路・造成等の法面及び斜面の保護工事には、通常、張りブロック・格子枠ブロック（コンクリート・鉄・樹脂製）等が用いられている。
【０００３】
張りブロック・格子枠ブロックは、各製品が分割して製造された後、施工現場に運搬され、敷設面において組立施工されるのが一般的である。
【０００４】
この組立施工は、クレーン等により施工箇所に搬送された後、斜面上で作業が行われ敷設作業者は長時間斜面上で安全ロープ等を装備して作業を行うため危険、且つ、労力と時間を割いている。
【０００５】
又、法面の斜面肩部と水平部との連結性が無く、製品の斜面上での滑動を抑制する場合、斜面肩水平部に杭等で行う安定した方法が一般的であるが、張りブロック・格子枠ブロックの場合は、独立した各ブロック及び各格子枠に抑制杭等を必要とし、安定用抑制杭が多数必要となる。
【０００６】
又、製品を地表面に直接敷設する方法が一般的であり、降雨により地表及び敷設された製品と地表との間が浸食されることがあり、地表面及び製品の補修を伴うことが多い。
【０００７】
【発明が解決しようとする課題】
そこで、この発明は、上記の問題を解決する為、作業性が良く、且つ、コスト低減が可能な格子枠マットの製造方法と斜面等の保護及び緑化工法を開発・提供する事にある。
【０００８】
【課題を解決するための手段】
上記の課題を達成するためにこの発明は、製造過程において格子枠とシートを一体化し、且つ、該格子枠とシートを同時にクレーン等で吊り上げ地表勾配と製品勾配をほぼ同一対面に敷設する。
【０００９】
又、法面の斜面肩部と水平部とを一体化したマットにより、連結した状態で敷設でき、且つ、斜面肩水平部に杭等を使用して安定した方法で施工が出来る。
【００１０】
【発明の実施の形態】
そこで、この発明の一実施例を図１〜図３に基づいて詳述すると、樹脂材及び金属等の材料で形成した多数の格子枠（１）を繊維シート（２）上に組み合わせ配置し、各格子枠（１）の底面と繊維シート（２）を金具及び接着剤又は熱溶着等の係着手段（Ｇ）で係着し、且つ、各格子枠（１）の接合部に可動及び固定が可能な係止部（１ａ）を設け、可動時は地表面の変形に対応でき、且つ、固定時は格子枠（１）を骨組み材として強度を持たせ繊維シート（２）と一面化させて板状のシートを形成し、該板状のシートを斜面又は急傾斜地（Ｓ）で利用することを特徴とする格子枠マットの製造方法から構成される。
【００１１】
又、各格子枠（１）係止部（１ａ）の係着手段（Ｇ）を固定状態にしたとき格子枠（１）の骨組み力により板状の剛性シートとなることにより、マットによる保護工事を行う斜面（Ｓ）とマット底面を同一対面勾配として骨組み材を治具または作業者で保持した状態で敷設斜面に繰り返し正確に敷設できることを特徴とする格子枠マットの斜面等の保護及び緑化工法から構成される。
【００１２】
又、各格子枠（１）係止部（１ａ）の係着手段（Ｇ）を可動状態にしたとき地表面の変化に対応できることにより曲面及び折部等の地表にも敷設でき、又敷設後係止部（１ａ）を固定にして、敷設後の格子枠（１）がマットと同時に地表面に敷設できることを特徴とする請求項２記載の格子枠マットの斜面等の保護及び緑化工法から構成される。
【００１３】
又、格子枠マットの繊維シート（２）により地表面を被覆し、降雨等による直接的な地表面の浸食、崩壊防止し、シート上に係着し一体化した各格子枠（１）内に客土された植生用の土砂又は培養土によりマットに適当な荷重を与えることにより間接的に地表面の浸食、崩壊防止を行い、且つ、格子枠（１）によって客土をブロック化して客土流出を防止するとともに各格子枠（１）に沿って降雨排水機能を持たせる事で斜面（Ｓ）等の一貫安定を図る事を特徴とする請求項２又は３記載の格子枠マットの斜面等の保護及び緑化工法から構成される。
【００１４】
図３に示す様に、クレーン等の搬送手段（Ｃ）により一体化した格子枠マットを斜面部（Ｓ）の傾斜角度（α）に合わせて傾けて持ち上げ、斜面の所定位置に設置する。
【００１５】
【発明の効果】
樹脂材及び金属等の材料を用いて形成した格子枠（１）と繊維シート（２）を、金具及び接着剤又は熱溶着等の係着手段（Ｇ）で係着し、且つ、一体化した格子枠マットにする事で、地表面の変化に対応出来、緑化の確実、且つ、積極的な斜面の保護工事を寄与し、施工効率の向上及び製造コストの低減を図る事が出来る等、極めて有益なる効果を奏するものである。
【図面の簡単な説明】
【図１】この発明の一実施例を示し、平面図である。
【図２】この発明の一実施例を示し、（Ａ）は図１のａ−ａ断面図で、（Ｂ）は（Ａ）のａ部拡大詳細図である。
【図３】この発明の施工要領図で、左側面図である。
【符号の説明】
１  格子枠
１ａ  係止部
２  繊維シート
Ｃ  クレーン等の搬送手段
Ｇ  係着手段
Ｓ  斜面又は急傾斜地
α  斜面又は急傾斜地の傾斜角度
【図１】
2004346593.tif 000003
【図２】
2004346593.tif 000004
【図３】
2004346593.tif 000005